(57)【特許請求の範囲】
【請求項１】
フォークリフトの搭載部に燃料ボンベを装着搭載するものであって、上記搭載部に上記燃料ボンベを載置可能な載置部材を配設し、該載置部材に連結部材を搭載位置と装着位置との間で上下方向に回動自在に配設し、該連結部材に燃料ボンベを着脱可能な装着部材を配設してなり、上記連結部材を上記搭載位置方向に弾圧可能な弾圧機構を配設し、該連結部材の上下回動を許容すると共に該連結部材を任意位置で保持する解除可能な停留機構を備えてなることを特徴とするフォークリフト用燃料ボンベ装着装置。
【請求項２】
上記装着部材に握持部を設けて構成したことを特徴とする請求項１記載のフォークリフト用燃料ボンベ装着装置。
【発明の詳細な説明】
【０００１】
【発明の属する技術分野】
本発明は燃料ボンベの装着交換時に用いられるフォークリフト用燃料ボンベ装着装置に関するものである。
【０００２】
【従来の技術】
従来この種のフォークリフト用燃料ボンベ装着装置としては、例えば特開平５−１１２１４４号公報に示す如く、フォークリフトに設けられた搭載部に燃料ボンベを載置可能な載置部材を配設し、該載置部材に連結部材を搭載位置と装着位置との間で上下方向に回動自在に配設し、該連結部材に燃料ボンベを着脱可能な装着部材を配設してなる構造のものが知られている。
【０００３】
しかして、上記連結部材を搭載位置から装着位置へと下方回動し、装着位置において、燃料ボンベを装着部材に装着し、装着後に、連結部材を装着位置から搭載位置へと上方回動し、上記載置部材に燃料ボンベを載置保持するように構成している。
【０００４】
よって、上記連結部材の存在により燃料ボンベをフォークリフトの高位置の搭載部に直接持ち上げることがなく、約３５Ｋｇ以上もある燃料ボンベを１ｍ以上も持ち上げなくともよいことになる。
【０００５】
【発明が解決しようとする課題】
しかしながら上記従来構造の場合、装着位置で燃料ボンベを装着部材に装着した後に、連結部材を装着位置から搭載位置へと上方回動する必要があり、この回動作業は、直接燃料ボンベを載置部材まで持ち上げることよりも容易ではあるが、燃料ボンベが重量物であることから、困難な作業となり、作業性が低下し易いことがあるというという不都合を有している。
【０００６】
【課題を解決するための手段】
本発明はこれらの不都合を解決することを目的とするもので、本発明のうち、請求項１記載の発明は、フォークリフトの搭載部に燃料ボンベを装着搭載するものであって、上記搭載部に上記燃料ボンベを載置可能な載置部材を配設し、該載置部材に連結部材を搭載位置と装着位置との間で上下方向に回動自在に配設し、該連結部材に燃料ボンベを着脱可能な装着部材を配設してなり、上記連結部材を上記搭載位置方向に弾圧可能な弾圧機構を配設し、該連結部材の上下回動を許容すると共に該連結部材を任意位置で保持する解除可能な停留機構を備えてなることを特徴とするフォークリフト用燃料ボンベ装着装置にある。
【０００７】
又、請求項２記載の発明は、上記装着部材に握持部を設けて構成したことを特徴とするものである。
【０００８】
【発明の実施の形態】
図１乃至図１０は本発明の実施の形態例を示し、１はフォークリフトであって、操縦部２、上下昇降可能なフォーク部３等から構成され、後部にはプロパンガスボンベ等の燃料ボンベＷの搭載部４が設けられ、燃料ボンベＷ内の燃料により駆動されるように構成されている。
【０００９】
５は載置部材であって、この場合搭載部４としてのフォークリフト１の後部ウエート６の上面にボルト７により取り付けられ、後端部は下方に垂下折曲形成され、左右両側に燃料ボンベＷを載置可能な保持板８を立設して構成している。
【００１０】
９は連結部材であって、この場合、上記載置部材５に枢着軸１０により搭載位置ａと装着位置ｂとの間で上下方向に回動自在に枢着連結されている。
【００１１】
１１は装着部材であって、上記連結部材５に一体に突出形成された左右一対の帯板状の半割部材１２と、半割部材１２の他方端部に連結軸１３により枢着された左右一対の抱持部材１４と、抱持部材１４の他方端部と連結部材９との間に設けた止着機構１５から構成されている。
【００１２】
この場合、上記止着機構１５は、抱持部材１４の各他方端部に係止鉤１５ａ及び係止レバー１５ｂを取り付け、連結部材９に引掛鉤杆１５ｃを取付けて構成している。
【００１３】
またこの場合、保持板８、半割部材１２、抱持部材１４の各内面に燃料ボンベＷを受けるゴム材等の弾性パッド１６が取付けられ、また半割部材１２にコ状の握持部１７が突設されている。
【００１４】
１８はロック機構であって、この場合連結部材９に係止穴１９ａを有する係止片１９を突設し、一方載置部材５に取付筒２０を取付け、取付筒２０に係止穴１９ａに嵌合可能な係止ピン２１を進退移動自在に挿通し、取付片１９に係止筒２２を螺着固定し、係止ピン２１の鍔部２１ａと係止筒２２との間に係止ピン２１を突出方向に付勢可能なバネ部材２３を介装し、係止ピン２１の後端部に環状杆２４を取付け、固定し、しかして図７の如く、環状杆２４をバネ部材２３に抗して引き、連結部材９の回動を許容すると共に係止ピン２１の先端部をバネ部材２３により突出させ、係止ピン２１の先端部を係止穴１９ａに挿通させることにより連結部材９を固定するように構成している。
【００１５】
２５は停留機構であって、この場合、載置部材５に取付板２６を形成し、取付板２６に上記枢着軸１０と同軸上に支点軸２７を取付け、支点軸２７に回動アーム２８を枢着し、取付板２６に支点軸２７を中心とする半円弧状の停留板２９をボルト３０により固定し、回動アーム２８内に操作杆３１を摺動自在に内装すると共に操作杆３１を突出付勢するバネ材３２を内装し、回動アーム２８及び操作杆３１に停留板２９が挿通可能な挿通穴２８ａ・３１ａを形成し、操作杆３１の挿通穴３１ａの下部に爪部３１ｂを形成し、停留板２９の内面に爪部３１ｂに係止可能な係止溝２９ａを複数個形成し、回動アーム２８を連結部材９に連結板３３により連結固定し、しかして、操作杆３１をバネ３２に抗して内方に押圧することにより停留板２９と爪部３１ｂとは離反し、係止溝２９ａと爪部３１ｂとの係止作用が解除し、又、操作杆３１から手を離すことによりバネ３２により操作杆３１は突出動作し、爪部３１ｂは停留板２９に弾圧当接することになる。
【００１６】
３４は弾圧機構であって、この場合、上記枢着軸１０にねじりコイルバネ状の２個のバネ部材３５を巻装し、図８の如く、バネ部材３５の一方端部を上記連結部材９に弾圧すると共に他方端部を上記載置部材５に弾圧当接し、バネ部材３５により上記連結部材９を上記搭載位置ａ方向に弾圧するように構成している。
【００１７】
この実施の形態例は上記構成であるから、燃料ボンベＷの交換に際し、図２、図８の搭載状態において、図７の如く、ロック機構１８の係止ピン２１を係止穴１９ａより抜脱し、握持部１７及び回動アーム２８を握持して弾圧機構３４のバネ部材３５に抗して枢着軸１０を中心として装着部材１１を図９の如く装着位置ｂまで下方回動し、このとき、停留機構２５の操作杆３１に形成された爪部３１ｂは回動途中から停留板２９の複数個の係止爪２９ａ間の凹部分にバネ部材３２により嵌入しつつ乗り越え動作し、連結部材９の回動を停止すると係止爪２９ａと爪部６１ｂとの係止及び弾圧機構３４のバネ部材３５との協働により連結部材９はその任意位置で停止保持され、次いで、図４、図１０の如く、止着機構１５の係止レバー１５ｂを回動して係止鉤１５ａを引掛鉤杆１５ｃから外し、装着部材１１の抱持部材１４を連結軸１３を中心として下方に回動し、この状態で判割部材１２上の使用済みの燃料ボンベＷを新たな燃料ボンベＷに交換し、交換後に止着機構１５により抱持部材１４を連結部材９に止着し、この状態で握持部１７及び回動アーム２８を握持し、操作杆３１を押動させると係止爪２９ａと爪部６１ｂとの係止が解除され、弾圧機構３４のバネ部材３５により連結部材９は搭載位置ａ側としての上方に向けて回動付勢され、連結部材９の上方回動により装着部材１１を搭載位置ａに位置させ、ロック機構１８の係止ピン２１を係止穴１９ａに挿入し、燃料ボンベＷを搭載位置ａに搭載固定し、これにより燃料ボンベＷの交換作業を完了することになる。
【００１８】
この交換作業において、上記連結部材９を上記搭載位置ａ方向に弾圧可能な弾圧機構３４を配設しているから、燃料ボンベＷを装着した装着部材１１を連結部材９の上方回動により装着位置ｂから上記搭載部４の搭載位置ａまで移行させるとき、燃料ボンベＷが重量物であっても弾圧機構３４により容易に回動移行させることができ、それだけ燃料ボンベＷの交換作業を容易に行うことができ、交換作業性を高めることができる。
【００１９】
又、この場合、上記連結部材９の上下回動を許容すると共に連結部材９を任意位置で保持する解除可能な停留機構２５を備えているから、燃料ボンベＷを装着した装着部材１１を連結部材９の下方回動により搭載位置ａから装着位置ｂまで移行させるとき、任意の装着位置ｂで燃料ボンベＷを停止保持することができ、交換作業者の作業がし易い位置で連結部材９を停止させて交換作業を行うことができ、一層容易に燃料ボンベＷの交換作業を容易に行うことができ、又、この場合、上記装着部材１１に握持部１７を設けているから、燃料ボンベＷの移行時に握持部１７を持って行うことができ、作業者は移行作業を容易かつ楽に行うことができ、それだけ作業能率を向上することができる。
【００２０】
尚、本発明は上記実施の形態例のものに限られるものではなく、例えば載置部材５、連結部材９、装着部材１１、停留機構２５の構造、握持部１７の形状、構造等は適宜変更して設計されるものである。
【００２１】
【発明の効果】
本発明は上述の如く、請求項１記載の発明にあっては、連結部材を搭載位置方向に弾圧可能な弾圧機構を配設しているから、燃料ボンベを装着した装着部材を連結部材の上方回動により装着位置から搭載部の搭載位置まで移行させるとき、燃料ボンベが重量物であっても弾圧機構により容易に回動移行させることができ、それだけ燃料ボンベの交換作業を容易に行うことができ、交換作業性を高めることができ、かつ、上記連結部材の上下回動を許容すると共に連結部材を任意位置で保持する解除可能な停留機構を備えているから、燃料ボンベを装着した装着部材を連結部材の下方回動により搭載位置から装着位置まで移行させるとき、任意の装着位置で燃料ボンベを停止保持することができ、交換作業者の作業がし易い位置で連結部材を停止させて交換作業を行うことができ、一層容易に燃料ボンベＷの交換作業を容易に行うことができる。
【００２２】
又、請求項２記載の発明にあっては、上記装着部材に握持部を設けているから、燃料ボンベの移行時に握持部を持って行うことができ、作業者は移行作業を容易かつ楽に行うことができ、それだけ作業能率を向上することができる。
【００２３】
以上の如く、所期の目的を充分達成することができる。
【図面の簡単な説明】
【図１】  本発明の実施の形態例の全体側面図である。
【図２】  本発明の実施の形態例の部分側面図である。
【図３】  本発明の実施の形態例の部分正面図である。
【図４】  本発明の実施の形態例の全体斜視図である。
【図５】  本発明の実施の形態例の展開状態の部分平面図である。
【図６】  本発明の実施の形態例の部分断面図である。
【図７】  本発明の実施の形態例の部分断面図である。
【図８】  本発明の実施の形態例の部分側断面図である。
【図９】  本発明の実施の形態例の部分側面図である。
【図１０】  本発明の実施の形態例の部分側面図である。
【符号の説明】
Ｗ  燃料ボンベ
ａ  搭載位置
ｂ  装着位置
１  フォークリフト
４  搭載部
５  載置部材
９  連結部材
１１  装着部材
１７  握持部
２５  停留機構
【図１】
0004273367.tif 000002
【図２】
0004273367.tif 000003
【図３】
0004273367.tif 000004
【図４】
0004273367.tif 000005
【図５】
0004273367.tif 000006
【図６】
0004273367.tif 000007
【図７】
0004273367.tif 000008
【図８】
0004273367.tif 000009
【図９】
0004273367.tif 000010
【図１０】
0004273367.tif 000011